(57)【要約】【課題】遠隔制御可能なスイッチ操作装置の提供。【解決手段】多くの家庭・職場用の電気器具は電源に接続されねばならない。これらは電源への電気接続、電源からの遮断によりオン・オフされる。通常これはスイッチを操作するユーザが手動で行う。本発明は電力を家電器具へ接続・遮断するよう構成したスイッチ付きの無線操作可能な電灯スイッチ又はプラグソケットに関する。本装置は建物、キャンピングカー又は船舶居住区、及び通常家庭用器具が電力接続される他の場所での使用に適する。本装置は制御信号を受信する受信機と、スイッチをオン・オフする制御信号に反応するアクチュエータを含む遠隔制御可能なスイッチ操作装置であり、本装置は露出したスイッチを備える筐体に後付けされるよう寸法と配置を決められ、アクチュエータが使用中に対応の制御信号を受信した際スイッチをオン・オフするためにスイッチに係合するよう配置されることを特徴とする。【選択図】図１
2016511963.tif 000002
【特許請求の範囲】
【請求項１】
遠隔制御装置からの制御信号を受信する受信機と、
スイッチをオン又はオフにするために前記制御信号に反応するアクチュエータとを含み、
前記スイッチの少なくとも一部は、前記スイッチの手動操作を可能にするために露出している、
ことを特徴とする遠隔制御可能なスイッチ操作装置。
【請求項２】
手動操作のために露出するよう構成された前記スイッチを含む筐体に後付けされるよう、寸法と配置を決められている、
ことを特徴とする請求項１に記載の操作装置。
【請求項３】
前記スイッチを「オン」又は「オフ」にするに当たって前記アクチュエータが前記スイッチを物理的に変位させる、
ことを特徴とする請求項１又は２に記載の操作装置。
【請求項４】
遠隔制御装置からの制御信号を受信する受信機と、
スイッチをオン又はオフにするために前記制御信号に反応するアクチュエータとを含む遠隔制御可能なスイッチ操作装置であって、
露出したスイッチを備える筐体に後付け可能なよう寸法と配置を決められ、
前記アクチュエータは使用中に、対応する制御信号の受信に際して、前記スイッチをオン又はオフにするために、前記スイッチに係合するよう配置されている、
ことを特徴とする遠隔制御可能なスイッチ操作装置。
【請求項５】
前記スイッチが、前記スイッチの手動操作を可能にするために露出している、
ことを特徴とする請求項４に記載の操作装置。
【請求項６】
前記装置を主電源に接続するよう構成された電源コネクタを含む、
ことを特徴とする請求項１−５のいずれかに記載の操作装置。
【請求項７】
前記装置を電気器具に接続する器具コネクタを含む、
ことを特徴とする請求項１−３のいずれかに記載の操作装置。
【請求項８】
前記スイッチが、電気回路のスイッチングをして回路を開くために開き、電気回路を完結させるために閉じるよう構成された変位可能なスイッチである、
ことを特徴とする請求項５又は６に記載の操作装置。
【請求項９】
前記アクチュエータが、電気回路への接続を通じて前記電源から供給される電力で前記スイッチを前記「オン」及び前記「オフ」位置又は前記オフ位置に変位させるよう構成された電気機械装置である、
ことを特徴とする請求項１−８のいずれかに記載の操作装置。
【請求項１０】
前記スイッチを露出させるための開口を備えたフェイシアを有する、
ことを特徴とする請求項１−９の記載のいずれかに記載の操作装置。
【請求項１１】
使用中に第２の部分に固定されるよう構成された変位可能な部材を有する第１の部分を含み、
前記第１及び第２の部分が筐体に固定可能である、
ことを特徴とする請求項１−１０のいずれかに記載の操作装置。
【請求項１２】
前記第２の部分が使用中に前記第１の部分に対して変位可能であり、前記第１及び第２の部分が、前記第１及び第２の部分を互いに引き寄せようと働くばね付勢で接続されている、
ことを特徴とする請求項１１に記載の操作装置。
【請求項１３】
スイッチインターフェース又はソケットの前カバーに取り付けられる、
ことを特徴とする請求項１−１２のいずれかに記載の操作装置。
【請求項１４】
フェイシアに嵌め込まれ、埋め込まれ、又はフェイシアと共に形成されている、
ことを特徴とする請求項１−１３に記載の操作装置。
【請求項１５】
前記スイッチがロッカースイッチである、
ことを特徴とする請求項１−１４のいずれかに記載の操作装置。
【請求項１６】
請求項１−１５のいずれかに記載の操作装置と、
オン信号及び／又はオフ信号を前記受信機に供給するよう構成された遠隔制御器と、
を含むことを特徴とするシステム。
【請求項１７】
添付の図面への参照によって実質的に本明細書に記載されている装置。
【発明の詳細な説明】
【技術分野】
【０００１】
本発明はスイッチング装置に関し、より具体的には電気器具のオンとオフのスイッチングのためのスイッチング装置に関する。本装置は家屋若しくはオフィスビル、キャンピングカーなどの輸送手段又は船舶内の居住区及び電気器具が通常見出されるその他の場所においての使用に適している。
【背景技術】
【０００２】
多くの使用中の家庭用及び職場用の電気器具は、電源に接続されている。これらは電源に接続し、及び電源から切り離されることにより、オン及びオフにされる。通常、このことは手動式スイッチを操作するユーザによって手動でなされる。
【０００３】
手動式スイッチは、電力ソケットに入れられた照明や器具をオン又はオフにするときに有用である。人間は通常、家具や暗闇で見えない場合でも、スイッチの状態や位置によって、電源のスイッチがオン又はオフになっているかを見たり（視覚的に障害があれば）感知したりすることが可能である。人間は手動式スイッチの使用には慣れている。
【先行技術文献】
【特許文献】
【０００４】
【特許文献１】中国実用新案第２０１５８５１７３号明細書
【特許文献２】国際公開第２００８／０６３２８３号
【発明の概要】
【発明が解決しようとする課題】
【０００５】
ある状況においては、スイッチを遠隔的に制御できた方が便利であったり、或いは安全でさえあることもある。例えば照明の電源を切るときは、所望の場所に手が届く方が、暗闇の中で部屋を横切らねばならない状況でそうするよりも安全である場合もある。
【０００６】
ほとんどのスイッチは永続的に、例えば壁の上にあり、一時に一回だけその固定された位置だけからしか制御できない。このことは特に、移動能力に制限のある人や寝たきりの人に対して不都合をもたらすこともある。例えば、機械的スイッチがそのような人の手の届く範囲の外にある場合は、照明をオン及びオフにすることができない。
【０００７】
もう一つの問題は、大きな家で、人が建物や家の中を歩き廻って全ての電灯や器具の電源を、夜に、典型的には寝る前に、一つずつ消さねばならないということである。
【０００８】
先行技術においては利用可能なスイッチが限られていることから、器具がスイッチをオンにされたままになる傾向があり、エネルギーの浪費や、スイッチがオンにされたままであることによる電気火災や電気事故の危険をもたらしていた。器具はまた、器具をオンにするためのスイッチが、暗闇の中では容易に視認したり発見したりできないことにより、又はタイマー式スイッチが切れたことにより、スイッチがオフにされたままになる傾向もあった。
【０００９】
そのため、手動式スイッチの有用性をそのままにしつつ前述の問題点を克服する、スイッチ操作装置が必要となっている。
【００１０】
前述の問題及びそれに類似する問題の解決を試みて、多数の特許出願が出願されてきた。特許文献１（YI et al）は、制御パネルと遠赤外線（ＩＲ）送信機を含んだ、無線照明スイッチに関する。
【００１１】
同様に特許文献２（ＳＰＩＲＡ）は、調光スイッチなどの遠隔制御可能な負荷制御装置を含んだ、照明制御システムを開示している。
【００１２】
遠隔制御される照明はタイマースイッチなどの形において利用可能であるが、照明の附属器具類をしばしば高価である専門的な部品（specialist part）と交換することが要求される場合もあった。タイマースイッチによる別の問題は、タイミングについては事前設定されねばならないため、タイマースイッチは変更が利かず（inflexible）、直接的な制御が一切不可能であるということである。
【００１３】
本発明は、先行技術に関連する問題を克服するために、及び前述の問題を克服する改善されたスイッチ操作装置を提供するために、生み出された。
【課題を解決するための手段】
【００１４】
本発明によれば、遠隔制御装置からの制御信号を受信する受信機と、スイッチをオン又はオフにするために制御信号に反応するアクチュエータとを含む遠隔制御可能なスイッチ操作装置であって、露出したスイッチを備える筐体（housing）に後付け可能なよう寸法と配置を決められ、アクチュエータは使用中に、対応する制御信号の受信に際して、スイッチをオン又はオフにするために、スイッチに係合するよう配置されている、ことを特徴とする遠隔制御可能なスイッチ操作装置が提供される。
【００１５】
好適には、スイッチインターフェースは筐体と、スイッチと、有利には操作装置が電気コネクタへ電気を接続し又は絶ち、「オン」又は「オフ」にするため、器具のための電気コネクタと、を含む。
【００１６】
本発明の第２の側面によると、遠隔制御装置からの制御信号を受信する受信機と、スイッチをオン又はオフにするために制御信号に反応するアクチュエータとを含み、スイッチの少なくとも一部は、スイッチの手動操作を可能にするために露出している、ことを特徴とする遠隔制御可能なスイッチ操作装置が提供される。
【００１７】
好適には、遠隔制御可能な操作装置は、手動操作のために露出するよう構成されたスイッチを含む筐体に後付けされるよう、寸法と配置を決められている。
【００１８】
理想的には、バッテリー駆動かつ携帯可能なスイッチ操作装置への遠隔制御信号を供給する操作装置が提供される。しかしながら、遠赤外線通信ポートを備えた携帯通信機器は、適切な信号を供給することで遠隔制御器として働くよう構成されてもよいと、理解される。このような携帯通信機器は、携帯情報端末（ＰＤＡ）、Blackberry（登録商標）、携帯機器、i-Phone（登録商標）、又は適切な制御信号を生成及び送信するためのコンピュータプログラムに従って作動可能な類似の装置のいずれかであってもよい。
【００１９】
有利には遠隔制御可能なスイッチ操作装置は、好適にはロッカー、回転式ノブ、又は手動で変位可能若しくは位置換え可能なトグルの形の、手動変位可能な機械スイッチを備える。理想的には、スイッチが遠隔的に操作されている際はスイッチが回路を開閉するために動き、又は変位するよう、操作装置は所望の制御信号に従い、スイッチを１つの位置及び状態（オン又はオフ）から他の位置及び状態（オン又はオフ）へと変位させる。
【００２０】
好適には、変位や位置換えによって手動で操作可能な同一のスイッチは、制御信号に従って作動するアクチュエータによって、遠隔操作することも可能である。スイッチの遠隔操作はスイッチの位置を物理的に変える。位置の変化はスイッチを手動で操作することもできるユーザによって、視認が可能である。
【００２１】
好適には、スイッチを「オン」又は「オフ」にするに当たってアクチュエータがスイッチを物理的に変位させる際には、ユーザはそれが「オン」又は「オフ」の位置にあることを視認できる。
【００２２】
第２の実施形態においては、遠隔制御可能なスイッチ操作装置はスイッチインターフェース又は筐体の外部に取り付けられ（clamped）又は接続される。好適には、スイッチインターフェース上に露出したスイッチは、遠隔制御可能なスイッチ操作装置が適所に（into place）取り付けられる際には露出したまま、或いは部分的に露出したままである。ユーザはスイッチに触れることなく、遠隔的にスイッチを「オン」又は「オフ」にできる。ユーザは、スイッチが露出しているため、スイッチに触れ又はスイッチを手動で変位させることによってスイッチを手動で「オン」又は「オフ」にすることもできる。
【００２３】
第２の実施形態の幾つかの例においては、遠隔制御可能なスイッチ操作装置はスイッチインターフェースに取り付けられ、スイッチを覆う。この場合、スイッチを「オン」「オフ」にすることでスイッチが変位したのをユーザが視認できるよう、ウィンドウや照明、発光ダイオード（ＬＥＤ）又は他のインジケータが遠隔制御可能なスイッチ操作装置に備えられている。
【００２４】
有利には、本発明は差込み口（electrical outlet）、ソケット、フェイシア（fascia）、又は器具の遠隔制御を可能にする手段を提供する。遠隔制御可能なスイッチ操作装置は、製造時又はアフターサービス市場のいずれかでそれらの器具に組み込まれてよい。
【００２５】
幾つかの実施形態においてクランプ（clamp）は、使用の際に互いに対して変位が可能な第１及び第２のクランプ部分よりなる。クランプ部分は、これらを互いに引き寄せ、又はフェイシアやスイッチ筐体に向けて押す力を作用させる、ばね付勢（spring bias）によって取り付けられてもよい。
【００２６】
他の好ましい実施形態において、操作装置は、コンポーネントが隠れるよう、筐体やフェイシアに統合されてもよい。
【００２７】
操作装置は、スイッチを変位させるよう構成されるアクチュエータを含む、第１のコンポーネント部分を含んでいる。オプション的に、第２のコンポーネント部分は電気バックボックス（electrical back box）に固定され（secured to）、この実施形態ではこれらのコンポーネント部分は使用時に互いに固定される。
【００２８】
このような実施形態の幾つかにおいては、第２の部分は第１の部分に向けて押されるようバックボックスに螺合されてもよく、当該第１の部分はフェイシアに搭載されるか、或いはフェイシアを含む。これに加えて電気接続は第２の部分から、或いは第２の部分を経由してなされる。操作装置がフェイシア又はスイッチに統合される他の実施形態においては、これらの部分（the parts）は一体に形成されたり、使用中若しくは取り付け後に分離不可能なように接続されてもよい。
【００２９】
有利には、操作装置が事前取り付けされたスイッチを操作するために後付けされるのに適している実施形態において、操作装置は、フェイシアが標準的な配置形態（standard localized format）において使用可能なままになるようフェイシアに統合され、理想的には操作装置がフェイシアの美的側面（aesthetics）に何ら影響を与えることなく例えばフェイシアの後面に組み込まれる。
【００３０】
理想的にはアクチュエータは、スイッチの位置や状態が反対にされ、或いは手動で変えられるように、スイッチを変位させるよう構成される。有利には、スイッチは遠隔制御可能なスイッチ操作装置を経由して、他の部屋などの遠隔的な位置から操作できる。
【００３１】
スイッチング装置がフェイシアの後ろのスイッチ筐体と一体である場合、スイッチは内部で起動又は停止されると考えてよく、手動で操作される場合、スイッチは外部で起動されると考えてよい。
【００３２】
理想的には制御信号は、家の外、例えば帰宅の際に照明を付ける際においても操作装置を制御することができるよう、数百メートルの範囲に至るまで送信可能である。
【００３３】
好適には遠隔制御器は既存のハードウェアに組み込まれてもよく、そのハードウェアはソフトウェア又はファームウェアを使用して操作可能としたり、機能させてもよい。例えばそのために、幾つかの実施形態において遠隔制御器は、「ＡＰＰ」などの「スマートフォン」により若しくはその機能として、又はユニバーサルコントローラにおいて、提供されてもよい。
【００３４】
理想的には操作装置及び遠隔制御器はまず、両者の間で情報の送受信ができるよう、同期される。同期されると、操作装置と遠隔制御器は無線信号の送信と受け取りによって、通信してもよい。
【００３５】
典型的にはフェイシアは、壁から突き出るように置かれる壁から突出している。そのため外付けで搭載される実施形態又は後付けの実施形態に対しては、操作装置の部分は更なるフィッティング手段を要求せずにフェイシアに取り付けられ、又は固定されるよう、理想的にはフェイシアの側面に掛かる（hook over the fascia sides）端部を延長させることによって、フェイシアの少なくとも一部を架橋し、取り囲み、或いは覆うように形作られてもよい。
【００３６】
好適には操作装置は、一又は複数のスイッチの上に位置するよう、垂直方向にフェイシアを縦断する（traverse）。ボタンは、例えばオン又はオフなど装置がどの状態にあるかを視覚的に示すため、押された際は押し下げられたままになっていてもよいと考えられる。
【００３７】
有利には、操作装置は単一のフェイシア及び２つのフェイシア（single and double fasciae）に合うよう構成されてもよい。例えば２つのスイッチに対しては、追加のボタンが第２のスイッチを制御するために含まれてもよい。
【００３８】
好適には、単一のスイッチのための操作装置は、フェイシアの頂部、底部（ダブルアダプタの場合に見られるように［as in the double adapter］）及び側面にフィットするよう、延伸した側面の端部を含む。
【００３９】
典型的には単一の操作装置は、単一のスイッチを覆うようオフセットされているので（is offset so as to cover）、頂部と底部だけでなく側面を囲むアダプタは、より良いフィットとより整った外観を与える可能性がある。
【００４０】
フェイシアに後付けされる装置においては、一体型バッテリーは装置を制御する電力手段を提供する。電流に接続するさらに別の実施形態は、偽の前面（false front）を含んでもよく、及び／又は装置がソケット若しくは物理的スイッチを備えることを可能にしてもよい。
【００４１】
好適には操作装置は、例えばばねフィット機構を受け入れられないフェイシアにおいて作動する操作装置及びシステムを可能にするため、フェイシアに嵌め込まれ、埋め込まれ、又は永続的に留められてもよい。いくつかの実施形態において操作装置は、例えば弾力的に変形可能な部材、柔軟な若しくは弾性のストラップでフェイシアの周りに取り付けられる（fitted around fasciae）。
【００４２】
好適な実施形態ではアクチュエータは、接続手段に対して遅延する動きをすることなくスイッチを動かすために、素早く動く。
【００４３】
好適には操作装置は、バッテリーについての要求をなくしかつ減少させて、主電力（mains power）から操作してもよい。
【００４４】
好適には操作装置はフェイシアに含まれ、アクチュエータは電気回路又は差込口（outlet）に対し電流を接続し、又は遮断するスイッチに作用する。
【００４５】
発明はここから、以下の添付の図面を参照しながら、単なる例示として記述される。
【図面の簡単な説明】
【００４６】
【図１】部屋の概略図であり、ユーザが照明とテレビの電源をオンとオフにするために遠隔制御可能なスイッチ操作装置を操作している。
【図２】単一の部分で構成された装置の第１の実施形態の概略図である。
【図３】スイッチを含む筐体に固定が可能な２つの部分として構成された、装置の第２の実施形態の概略図である。
【図４】フェイシア上で使用中の、操作装置の第２の実施形態の第１の例の等角図である。
【図５】フェイシア上で使用中の、図４の第２の実施形態の第１の例の後部の等角図である。
【図６】フェイシア上で使用中の、操作装置の第２の実施形態の第２の例の等角図である。
【図７】図６の第２の実施形態の第２の例のカーカス（carcass）の等角図である。
【図８】フェイシアに統合された操作装置の第１の実施形態の後部の等角図である。
【図９】操作装置の第２の実施形態の第３の例の分解等角図である。
【図１０】遠隔制御器の実施形態の等角図である。
【図１１】使用中の図６の第２の実施形態の第２の例の後部の等角図である。
【発明を実施するための形態】
【００４７】
図１は、使用中の、遠隔制御可能なスイッチ操作装置の概略図である。
【００４８】
ユーザ３８０は椅子に座っており、遠隔制御器３００を保持している。ユーザは、ユーザのテレビ１７０に電気を供給する遠隔制御可能なスイッチ操作装置１０００の電源をオンにし、かつオフにするために制御信号を供給するため、遠隔制御器を使用している。
【００４９】
ユーザ３８０は又、部屋の照明２２０に電気を供給する遠隔制御可能なスイッチ操作装置１００１の電源をオンにし、かつオフにするために制御信号を供給するためにも、遠隔制御器３００を使用している。
【００５０】
器具用配線１３０がテレビ１７０に接続されている。器具用配線は、遠隔制御可能なスイッチ操作装置１０００のソケットに差し込むためのプラグ１２０を有している。
【００５１】
ユーザ３８０がテレビに供給される電気をオンとオフにするために手動でスイッチ３３０を操作できることを好む場合、スイッチ３３０は、ユーザが動かすことができるようユーザに対して露出される。
【００５２】
ユーザ３８０がテレビ１７０への電気をオンとオフにするために遠隔制御器３００を使用する場合、スイッチ３３０は遠隔制御可能なスイッチ操作装置１０００の中のアクチュエータによって、物理的に動かされる。
【００５３】
照明用配線２３０は照明２２０に接続されている。照明用配線は、遠隔制御可能なスイッチ操作装置１００１の器具コネクタにも接続されている。
【００５４】
ユーザ３８０は、照明２２０に供給される電気をオンとオフにするために操作装置１００１のスイッチ３３１を手動で操作するか、照明に供給される電気をオンとオフにするために遠隔制御器３００を使用するかの、いずれかを選ぶことができる。ユーザが照明をオン又はオフにするために遠隔制御器を使用することを選択する場合は、スイッチは操作装置内のアクチュエータによって物理的に動かされる。
【００５５】
操作装置１０００、１００１の各々は、遠隔制御器３００によって供給される制御信号を受信するための受信機２９０を有している。遠隔制御器３００は無線信号を提供し、受信機２９０は無線受信器である。スイッチ３３０、３３１をオン又はオフにするために操作装置に命令する、電磁無線信号、可視光信号若しくは非可視光信号、又は可聴若しくは非可聴の音声信号のいずれかを明瞭に受信するために、受信機の一部が操作装置の外部にあってもよい。
【００５６】
操作装置１０００、１００１は、電気配線系統（electrical wiring）を構築する（building）ために使用される、電気バックボックス１４０に収容されるよう寸法と配置を決められた筐体２１０を含む。
【００５７】
筐体２１０は、電力ケーブル２６０と接地ケーブル２００に接続される主電力コネクタを含む。
【００５８】
図２は、操作装置の第１の実施形態の概略図である。スイッチ３３０は、フェイシア１９０から突き出ている。スイッチ３３０は、フェイシア１９０を抜けて突き出るスイッチ３３０を見、又触ることの出来るユーザに対し露出している。
【００５９】
ユーザは、電気コンタクト３４０を変位させるためにスイッチ３３０の位置を動かす。コンタクト３４０を動かして電気回路１８０の端子（terminal）に接触させることで、電気回路１８０は閉じられる。ユーザは回路１８０を開閉するために、スイッチを変位させる。
【００６０】
図２に図示されているように、電気回路１８０は電源コネクタ２６０を電気器具コネクタ１１０に接続する。器具コネクタ１１０は、図１に図示のテレビ器具配線１３０の端部にあるもののような、プラグ１２０を受け入れるのに適したソケットである。電源コネクタは、電力ケーブル２６０への接続に対応している。電力ケーブル２６０は、建物における主電気配線系統の一部をなす。ソケット１１０の端子は、回路１８０によって接地ケーブル２００にも直接的に接続される。電源コネクタ２７０は、操作装置の電力ケーブル２６０及び接地ケーブル２００への接続を簡略化するために構成される。
【００６１】
ユーザが回路１８０を閉じるためにスイッチ３３０を動かすと、器具コネクタ１１０はオンになる。器具コネクタ内にプラグ１２０を有する器具１７０は、これによって主電源に接続される。ユーザが回路１８０を開くためにスイッチ３３０を動かすと、器具コネクタ１１０は、電力ケーブル２６０から電気的に切り離される。
【００６２】
遠隔制御可能なスイッチ操作装置１０００は筐体２１０によって防護され、フェイシア１９０によってカバーされている。筐体とフェイシアは図２では別個の要素として図示されているが、これらは単一の部分であってもよい。
【００６３】
操作装置１０００が建物の壁に備え付けられるときは、フェイシアはユーザに向けられるよう配置される。
【００６４】
受信機２９０は、操作装置が制御信号を検出することを可能にする。受信機２９０は、ソレノイドリレー３２０に電気的に接続される。ソレノイドリレーは電源コネクタ２７０に接続され、またソレノイド３１０にも接続される。
【００６５】
ソレノイド３１０は変位可能部材１６０を駆動させるが、これらが一緒になってアクチュエータ１００を構成する。当業者は、アクチュエータを他のタイプの電磁石と置き換えることができるであろう。
【００６６】
変位可能部材１６０は、自身が動くとスイッチ３３０も動くように、スイッチ３３０を保持している。従ってスイッチ３３０はアクチュエータ１００の作動によって変位する。
【００６７】
アクチュエータ１００は、典型的にはソレノイド３１０を含み、回路１８０は、ボタンやロッカーの形をとるスイッチ３３０を変位させ又は押し下げるアクチュエータ１００によって開閉されるが、他のタイプの電気機械変換器（electro-mechanical transducer）が知られており、これらによって置き換えられてもよい。ウォームギア付きのモータが他の例である。動力はソレノイド３１０によって生み出されるが、このソレノイドは図２に示すリニアソレノイドであってもよい。
【００６８】
ソレノイドは、スイッチ３３０を押すためのアクチュエータ又はプランジャ１６０を動かす電磁場を作り出す。典型的にはプランジャ１６０は、スイッチ３３０に係合し、延伸する際にはスイッチを押し上げ、引っ込む際にはスイッチを引き下げるように、スイッチ３３０に平行に動く。
【００６９】
操作装置１０００、２０００の幾つかの例では、フェイシア１９０又は外ケーシング５３０に、スイッチ３３０をオンとオフにするようアクチュエータを操作するために、アクチュエータボタンがある。図４では、「オン」ボタン２５０と「オフ」ボタン２５１が図示されている。アクチュエータボタンもフェイシアから露出しており、ソレノイドもアクチュエータボタンを押すことで手動的に起動されてもよい。
【００７０】
好適な実施形態におけるアクチュエータの起動は、スイッチをオンからオフに切り替える（toggle）ための、制御された線形的な力を生み出し、典型的にはスイッチを押すユーザの動きを模倣する。従って受信機２９０を経由しての遠隔起動は、ユーザによる手動のスイッチ３３０の変位の動作を模倣する。
【００７１】
理想的にはソレノイド３１０は、操作装置へと信号を伝える遠隔制御器３００から受信した信号によって起動されてもよい。信号は、遠赤外線、短波無線周波数、Bluetooth（登録商標）等の無線接続若しくはマシン間操作によって送信されると想定され（envisaged）てもよい。
【００７２】
図２を詳しく見ると、ユーザ３８０が無線「オン」命令信号を送るよう遠隔制御器３００を操作することによって、遠隔操作的にスイッチをオンにしていることは明らかである。「オン」信号は受信機２９０によって検出され、解釈される。受信機２９０はソレノイドリレー３２０に電気的に接続され、リレーを起動してスイッチ３３０をクローズ位置まで移動させるためにアクチュエータ１００を作動させる。そして電気コンタクト３４０は、器具コネクタ１１０に接続された器具１７０に電気を供給するために回路１８０を閉じる。
【００７３】
スイッチは、それがフェイシア１９０から突き出ている場所で露出しているため、ユーザはスイッチが「オン」の位置まで動かされたことを見ることができる。
【００７４】
ユーザ３８０は、無線「オフ」命令信号を送るために遠隔制御器３００を操作することによって、遠隔的にスイッチをオフにする。「オフ」信号は受信機２９０に検出され、解釈される。
【００７５】
受信機２９０はソレノイドリレーに電気的に接続され、アクチュエータ１００を操作してスイッチ３３０をオープン位置まで移動させるためにリレーを起動する。これにより、器具コネクタ１１０に電気が流れるのを阻止するために、電気コンタクト３４０は回路１８０から分離される。スイッチは、それがフェイシア１９０から突き出ている場所で露出しているため、ユーザはスイッチ３３０が「オフ」位置まで動かされたことを見ることもできる。
【００７６】
信号は、プリント回路基板（ＰＣＢ）上に置くことが可能な信号解釈回路を含み、或いはこれに接続される受信機２９０によって受信される。解釈された信号は、例えばスイッチ３３０をオン又はオフにするといった、所望の応答を生成するために使用される。
【００７７】
幾つかの例における遠隔制御器３００は、図１０に図示するもののような、よく知られた直方体の物体又はケーシングである。遠隔制御器は、起動時に操作装置に送信信号（transmission）を送り、又バッテリーの形で自身の電源を有するよう、構成されている。遠隔制御器は、手に持つものでも壁に掛けるものでもよいと考えられる。遠隔制御器３００は、「オン」ボタン２５２と「オフ」ボタン２５３とを含む。遠隔制御器３００の別の例では、音声起動に使うマイクを含んでいる。遠隔制御器は無線で、対応する「オン」又は「オフ」の命令信号を、対応するボタンが押された際に好適には電波（radio wave）で送信する。解釈回路は信号を同定及び解釈し、プランジャ１６０に係合するようソレノイド３１０の起動をトリガーして、それによってスイッチ３３０を押させるようにする。
【００７８】
遠隔制御されるスイッチ操作装置１０００の代替的な構成においては、ユーザの声が遠隔制御器として働く。受信機２９０は可聴音検出器であり、解釈回路は単語「オン」及び「オフ」を解釈する。
【００７９】
遠隔制御器３００は、同期ボタン（syncing button）３６２、３６３を含む。遠隔制御器上の同期ボタンを押すと、操作装置の受信機２９０に検出される無線同期信号が発せられる。
【００８０】
遠隔制御器３００に、特定の遠隔制御されるスイッチ操作装置１０００、１００１、２０００を操作させるために、操作装置の同期ボタン３６０が押され、同時に遠隔制御器においても同期ボタン３６２が押される。両ボタンは一定時間、押下されたままにされる。
【００８１】
図２に図示の同期回路３７０は、同期ボタン３６０を押すことで起動される。同期回路は受信機２９０に電気的に接続される。同期ボタン３６２が押されている間に操作装置１０００の同期ボタン３６０を押すことで、操作装置１０００と遠隔制御器３００が同期される。一旦遠隔操作装置１０００と遠隔制御器が同期されると、同期回路３７０は「オン」命令及び「オフ」命令が受信機２９０によってソレノイドリレー３２０に伝送されるのを許し、遠隔制御器３００はスイッチ３３０を操作する。遠隔制御器と操作装置の同期を解除する（unsync）ために、遠隔制御器と操作装置の同期解除ボタン（unsync button）３６１、３６３が同時に所定時間押される。
【００８２】
１のユーザがスイッチ３３０の位置を遠隔的に変更し、一方で他のユーザが手動的にスイッチの状態を変更すると、アクチュエータはこれを認識し、スイッチ３３０を手動で動かすユーザが遠隔命令信号よりも優先されるのを許す（これは破損等を避けるためである）。アクチュエータは信号に抗して働く力を認識し、そのため手動的に課されたスイッチ３３０の動きには一切抵抗することをやめる。
【００８３】
器具コネクタ１１０、電源コネクタ２７０、回路１８０、電気コンタクト３４０、スイッチ３３０、アクチュエータ１００、ソレノイドリレー３２０、受信機２９０、筐体２１０、フェイシア１９０などの構成が、例えば装置の第１の実施形態については図２に図示されている。これらの要素の構成は上の段落に記載している。この構成はまた、他の実施形態が第１の実施形態とは異なると記載されている場合を除き、一般的には他の実施形態にも適用される。
【００８４】
遠隔制御可能なスイッチ操作装置の第２の実施形態は図３、４、５、６、７、９及び１１に図示されている。図８は第１と第２の実施形態の組み合わせの混成実施形態（hybrid embodiment）を図示している。
【００８５】
図３は、遠隔制御可能なスイッチ操作装置２０００の第２の実施形態の概略図である。
【００８６】
図４は、スイッチインターフェース（switched interface）５００のフェイシアに取り付けられた操作装置２０００の第２の実施形態の第１の例を図示している。スイッチインターフェース５００は、器具コネクタ１１０への電力をオンとオフにするスイッチ３３０を含んでいる。一般に、器具コネクタは図４、６に図示するもののようなプラグソケットである。
【００８７】
家とオフィスは、典型的には、インターフェースのソケット１１０への電気をオンとオフにするための、或いは照明配線２３０に接続された器具コネクタ１１０への電気をオンとオフにするための、手動操作可能なスイッチ３３０を含むスイッチインターフェース５００と共に、建設される。
【００８８】
操作装置２０００の第２の実施形態は、スイッチインターフェース５００の外部に取り付けられているため、外付けの実施形態（external embodiment）である。発明２０００の第２の実施形態は、スイッチインターフェース５００のフェイシア１９０に取り付けられるよう構成される。
【００８９】
図３、図４及び図６に特に示す第２の実施形態の一例では、操作装置２０００は、使用時に第２の部分２０に対して固定されるよう構成された第１の部分１０を含む。部分１０、２０は、操作装置２０００がスイッチインターフェース５００の筐体のフェイシア１９０に固定されるよう、構成することができる。そのため操作装置２０００は、スイッチインターフェース５００の筐体の一部分（それはフェイシア１９０である）に後付け（retro-fit）ができるよう、寸法と配置が決められる。フェイシアはスイッチ３３０を含む。
【００９０】
操作装置２０００の第２の実施形態は典型的には、ばね機構１５０によってフェイシア１９０に取り付けられる。ばね機構１５０によって、第２の部分２０は第１の部分１０に対して変位可能である。両部分は、両部分がフェイシアを横切る（traverse）ことができるようにばねを引っ張ることによって、引き離されてもよい。クランプ機構１５０のばね５０は２つの部分１０、２０を互いに引き寄せ（The clamping mechanism 150 spring 50 draws the two parts 10, 20 together）、それによってスイッチインターフェース５００の筐体のフェイシア１９０に操作装置２０００を取り付ける。
【００９１】
操作装置２０００第２の実施形態は、第１の部分１０と、制御信号を受信するための受信機２９０と、スイッチ３３０をオンとオフにするための制御信号に反応するアクチュエータ１００とを含む。
【００９２】
スイッチ３３０は、ユーザが手動で操作できるように露出している。操作装置２０００が使用のためにフェイシア１９０に取り付けられるときは、対応する制御信号を受信してスイッチ３３０をオン又はオフにするために、アクチュエータ１００はスイッチ３３０と係合するように配置される。
【００９３】
スイッチインターフェース２０００の外側での使用のために構成された、操作装置２０００の外付けの実施形態においては、操作装置２０００は典型的には、操作装置２０００を制御するための少なくとも２組のボタンを収納するケーシング５３０を含む。ボタンの１の組は、操作装置の遠隔制御器３００との同期を可能にする。ボタンの第２の組は少なくとも１つのスイッチ３３０の手動操作のためである。ケーシング５３０は、起動時にスイッチ３３０をオンとオフの間で切り替えるような運動を生み出す、ソレノイドを収容している。ケーシング５３０は、同様にケーシング５３０に収納された受信機２９０によって受信される信号を受信し解釈するための、プリント回路基板（ＰＣＢ）上の解釈回路を収納している。
【００９４】
操作装置２０００の第２の実施形態においては、ケーシング５３０の内部に少なくとも１つのバッテリーがある。
【００９５】
操作装置２０００の第２の実施形態は、スイッチ３３０を遠隔的に操作するために操作装置に信号を送信可能な遠隔制御器３００と協働する。
【００９６】
遠隔制御可能なスイッチ操作装置２０００の第２の実施形態は、ユーザ３８０に対して第１の実施形態と同様に働く。図１のイラストレーションでは、ユーザはテレビへの電気をオンとオフにするために、操作装置１０００の第１の実施形態に命令する。ラジオ５１０をオンとオフにするために、ユーザは操作装置２０００の第２の実施形態に対してもラジオ配線プラグ５２０に接続された電気ソケットに電源をオンとオフにするための命令をする。
【００９７】
第２の実施形態のケーシング５３０の内部にある、受信機２９０、ソレノイドリレー３２０、アクチュエータ１００、ソレノイド３１０、変位可能部材１６０の構成は、第１の実施形態においての電力ケーブル２６０ではなく、バッテリー１４５がアクチュエータ１００、受信機２９０、及びソレノイドリレーに電力を供給するという点を除いて、第１の実施形態について記述したものと同じである。
【００９８】
理想的には２組のボタンは操作装置の外面の（on the exterior of the operating device）、ユーザが利用可能な別々の場所に位置している。起動ボタンは容易に利用できるよう、操作装置の表面上（on the face of the operating device）、フェイシアより上（above the fasciae）に位置している。１組の起動制御器（activation controls）又はボタンは、操作装置１０００、２０００が遠隔制御器３００と同期することを可能にする。これらは操作装置の側面（on the operating device side）にあり、そこで明確に識別可能である。幾つかの更なる実施形態においては、そのような起動制御器は恒常的に使用可能（open）であってもよいし、時間遅延付き使用可能期間（time delay open period）を置き、その間同期が可能としてもよい。その様な実施形態では、起動制御器は使用中隠されてもよい。
【００９９】
好適な実施形態では操作装置と遠隔制御器は、合成プラスチックやブラッシングされたステンレス鋼など、目立たぬようにフェイシアと同じ又は類似の材料で形成してもよい。
【０１００】
本発明は、単なる例示としてのみ記述されている。そのため、以上は本発明の原理を例示するだけのものととらえられる。さらに、当業者は多くの修正及び変更に容易に想到するであろうため、図示され記述された構成と操作そのものに発明を限定するのは望ましくない。従って全ての適切な修正と均等物によってもよく、特許請求の範囲内に入る。
【図１】
2016511963.tif 000003
【図２】
2016511963.tif 000004
【図３】
2016511963.tif 000005
【図４】
2016511963.tif 000006
【図５】
2016511963.tif 000007
【図６】
2016511963.tif 000008
【図７】
2016511963.tif 000009
【図８】
2016511963.tif 000010
【図９】
2016511963.tif 000011
【図１０】
2016511963.tif 000012
【図１１】
2016511963.tif 000013
【国際調査報告】
2016511963.tif 000014
2016511963.tif 000015
2016511963.tif 000016